(57)【特許請求の範囲】
【請求項１】
ポンプシリンダ(２)内を摺動する筒状ピストン(２２)からステム(２４)を起立し、このステム(２４)の上端に、ノズル付きの押下げヘッド(７０)を付設し、ステムの下半部(２４ｂ)に対して筒状ピストン(２２)が昇降することで筒状ピストン(２２)とステムの下半部(２４ｂ)と間に形成した吐出弁(３６)が開閉するように構成し、吐出弁(３６)からステムの上半部(２４ａ)を通ってポンプシリンダ(２)内の内容物をノズル(７２)から吐出するように設けた液状物吐出ポンプにおいて、
ステム(２４)の下半部(２４ｂ)は、ポンプシリンダ(２)内へ下面を開放する筒壁を有し、
その下面から一定の距離を存して筒壁内部を閉塞する隔壁(５２)を横設し、隔壁(５２)と隔壁下方の筒壁部分とで形成するエア停留用筒(５０)の内部を、ポンプ内の流れの淀み部(Ｓ)とすることで、エア停留用筒内に気泡又は気塊を係留させるとともに、上記エア停留用筒(５０)の内部に気泡係留用凹凸面(５４)を形成したことを特徴とする、液状物吐出ポンプ。
【請求項２】
上記エア停留用筒(５０)の内周面に複数の縦リブ(５６)を縦設することで、気泡係留用凹凸面(５４)を形成したことを特徴とする請求項１記載の液状物吐出ポンプ。
【請求項３】
上記隔壁(５２)をステム下半部(２４ｂ)の筒壁の筒軸方向中間部に形成し、隔壁(５２)より上方の筒壁部分に通液孔(６０)を穿設したことを特徴とする請求項１又は請求項２に記載の液状物吐出ポンプ。
【発明の詳細な説明】
【技術分野】
【０００１】
本発明は、液状物吐出ポンプに関する。
【背景技術】
【０００２】
従来、ポンプシリンダ内を摺動する筒状ピストンからステムを起立し、このステムの上端にノズル付きの押下げヘッドを付設し、ステムの下半部に対して筒状ピストンが昇降することで筒状ピストンとステムの下半部と間に形成した吐出弁が開閉するように構成し、吐出弁からステムの上半部を通ってポンプシリンダ内の内容物をノズルから吐出するように設けた液状物吐出ポンプ知られている（特許文献１）。
【先行技術文献】
【特許文献】
【０００３】
【特許文献１】特開平１０−５６４０号
【発明の概要】
【発明が解決しようとする課題】
【０００４】
特許文献１の液状物吐出ポンプは、筒状ピストンとポンプシリンダとで構成されるポンプ室が非圧縮性流体である液体で満たされているため、押下げヘッドを押し下げたときに、筒状ピストンが変形してステム下半部に食いつく如き状態になって離れにくく、これにより押下げヘッドの押し圧が増大し、押下げ不能となるという問題点があった。
【０００５】
本発明の第１の目的は、ポンプ室の内部にポンプ内の液体流れに対する淀み部を形成し、淀み部内に留まるエアの作用で押下げヘッドの押下げを容易にすることである。
【０００６】
本発明の第２の目的は、上記淀み部内に気泡係留用の凹凸面を形成することで気泡を適当量のエアを係留できるようにすることである。
【課題を解決するための手段】
【０００７】
まず第１の手段は、
ポンプシリンダ２内を摺動する筒状ピストン２２からステム２４を起立し、このステム２４の上端に、ノズル付きの押下げヘッド７０を付設し、ステムの下半部２４ｂに対して筒状ピストン２２が昇降することで筒状ピストン２２とステムの下半部２４ｂと間に形成した吐出弁３６が開閉するように構成し、吐出弁３６からステムの上半部２４ａを通ってポンプシリンダ２内の内容物をノズル７２から吐出するように設けた液状物吐出ポンプにおいて、
ステム２４の下半部２４ｂは、ポンプシリンダ２内へ下面を開放する筒壁を有し、
その下面から一定の距離を存して筒壁内部を閉塞する隔壁５２を横設し、隔壁５２と隔壁下方の筒壁部分とで形成するエア停留用筒５０の内部を、ポンプ内の流れの淀み部Ｓとすることで、エア停留用筒内に気泡又は気塊を係留させるとともに、上記エア停留用筒５０の内部に気泡係留用凹凸面５４を形成している。
【０００８】
本手段は、ポンプ室Ｐの内部に流れの淀み部Ｓを設け、淀み部内に気泡Ｂ又は気塊Ａの形でエアを係留させることを提案する（図１及び図７参照）。気泡の膨張・収縮作用（エアークッション作用）により液体充填状態での押下げヘッドの押下げがスムーズになるからである。ステムの下半部で形成する有頂筒部（エア停留用筒）の内部を淀み部とした理由は、気泡は重力の作用でポンプ室の上部に集まり易いからである。なお、本明細書において「液状物」とは、液体の他に霧などを含む。本発明の作用から、ポンプ室内へ吸い上げられた内容物は、非圧縮性の流体（すなわち液体）であることが前提であるが、ノズルからの噴出物は液体には限らない。
【０００９】
「エア停留用筒」は、その内表面に気泡を付着させ、係留させる機能を有する。筒壁の内周面や頂壁（隔壁）下面に気泡を付着させることが好適であるが、図１０に示すように頂壁からの突起物（棒部）の表面に気泡を付着することも考えられる。好適な実施形態では、エア停留用筒の態様として、図１の如く筒長の長いもの及び図６の如く筒長の短いものを例示しているが、いずれも筒径（直径）に比べると筒長が長い。そうする方が、筒の内部に淀み部Ｓを形成し易いからである。
【００１１】
また本手段では、気泡係留用凹凸面をエア停留用筒の内部に形成することを提案している。「気泡係留用凹凸面」は、図３に想像線で示すように、その凹部に気泡Ｂを“抱きつかせ”、空気を係留する機能を有する。こうした凹凸面は平滑な面に比べて周囲の液体の動きに抗してその場所に気泡を係留する作用が大きい。気泡係留用凹凸面は、図１に示すようにエア停留用筒の筒壁内面に設けた縦リブ、或いは図８に示すように頂壁に穿設した環状の凹条（又は凸条）により実現することができる。
【００１２】
第２の手段は、第１の手段を有し、かつ上記エア停留用筒５０の内周面に複数の縦リブ５６を縦設することで、気泡係留用凹凸面５４を形成している。
【００１３】
本手段では、気泡係留用凹凸面を図１に示すように縦リブにより形成することを提案している。これによりステム下半部を型成形するときに型抜きが容易となる。
【００１４】
第３の手段は、第１の手段又は第２の手段を有し、かつ
上記隔壁５２をステム下半部２４ｂの筒壁の筒軸方向中間部に形成し、隔壁５２より上方の筒壁部分に通液孔６０を穿設している。
【００１５】
本手段では、図６に示すように、隔壁をステム下半部の筒壁の筒軸方向中間部に形成し、隔壁より上方の筒壁部分に通液孔を穿設することを提案している。これにより、吐出弁の下流側の液体の流れがスムーズとなる。故に押下げヘッドを押し下げるために必要な力を低減することができる。
【発明の効果】
【００１６】
第１の手段に係る発明によれば、ポンプ室内にエア停留用筒５０を形成したから、エア停留用筒内に係留する気泡の収縮により押下げヘッドの押下げを容易とすることができる。
【００１７】
また第１の手段に係る発明によれば、エア停留用筒５０の内部に気泡係留用凹凸面５４を形成したから、エア停留用筒内に確実に気泡を係留することができる。
【００１８】
第２の手段に係る発明によれば、気泡係留用凹凸面５４を縦リブ５６の縦設により形成したから、型成形が容易である。
【００１９】
第３の手段に係る発明によれば、隔壁５２をステム下半部２４ｂの筒壁の筒軸方向中間部に形成し、隔壁５２より上方の筒壁部分に通液孔６０を穿設したから、吐出弁３６からノズル７２への液体の流通性を向上することができる。
【図面の簡単な説明】
【００２０】
【図１】本発明の第１の実施形態に係る液状物吐出ポンプの縦断面図である。
【図２】図１のポンプの主要部材の縦断面図である。
【図３】図２の部材のIII−III方向の横断面図である。
【図４】本発明の第２の実施形態に係る液状物吐出ポンプの主要部の縦断面図である。
【図５】図４の部材のV−V方向の横断面図である。
【図６】本発明の第３の実施形態に係る液状物吐出ポンプの縦断面図である。
【図７】本発明の第１の実施例の縦断面図である。
【図８】本発明の第２の実施例の縦断面図である。
【図９】図８の実施例のIX−IX 方向の横断面図である。
【図１０】本発明の第３の実施例の縦断面図である。
【図１１】図１０の実施例のXI−XI 方向の横断面図である。
【発明を実施するための形態】
【００２１】
図１から図４は、本発明の第１の実施形態に係る液状物吐出ポンプを示している。
【００２２】
この液状物吐出ポンプは、図１に示す如く、ポンプシリンダ２と、装着部材１２と、作動部材２０とで形成している。本発明の各部品は合成樹脂で形成することができる。
【００２３】
ポンプシリンダ２は、上端に外向きフランジ４を有するシリンダ筒壁６の下端部を小径化して、吸上げ弁８を形成し、この吸上げ弁８から吸上げ管１０を垂下している。
【００２４】
装着部材１２は、装着筒１４と抜止め筒１６とで形成する。装着筒１４は、容器の口頸部Nへの嵌合筒１４ａの上端面に内向きフランジ１４ｂを付設し、この内向きフランジ１４ｂと容器の口頸部Ｎとの間にポンプシリンダの外向きフランジ４を挟んでいる。図示例では内向きフランジの半径方向中間部を上方へ隆起して、後述の押下げヘッドの案内筒としている。また上記抜止め筒１６はポンプシリンダ２内へ嵌挿され、その抜止め筒の上部を内向きフランジ１４ｂの内縁に係止している。
【００２５】
作動部材２０は、筒状ピストン２２からステム２４を起立し、このステムの上端にノズル７２付きの押下げヘッド７０を付設している。なお作動部材２０の下面とポンプシリンダ２の内面とはポンプ室Ｐを形成している。
【００２６】
上記筒状ピストン２２は、内筒２２ａの下寄り部分から外方突出した鍔部２２ｃを外筒２２ｂの上下方向中間部に連結してなる。外筒２２ｂは上下両部を先端大径に形成し、それら先端をポンプシリンダ２内壁に当接している。上記外筒の上端は、抜止め筒１６の下端に係止させている。
【００２７】
上記ステム２４は、上半部（ステム本体）２４ａと下半部（ピストンガイド）２４ｂとで形成されている。上半部２４ａは、全体として縦長の筒体であり、上端部を押下げヘッドの裏側に係止するとともに、その下端部を上記筒状ピストンの内筒２２ａと外筒２２ｂとの間に挿入している。ステム上半部２４ａの内周面２６には、ステム下半部２４ｂへの突き当て用の複数（図示例では左右一対）の第１当接突条２８を縦設しており、ステム下半部２４ｂの外周面上部とステム上半部２４ａの内周面２６との間に液体流路ＰＬを形成している。第１当接突条２８の上下方向中間部には、ステム下半部２４ｂへの係止用の段部２９を形成する。
【００２８】
上記ステムの下半部２４ｂは、縦長の筒壁の外周面下部に筒状ピストンの内筒２２ａとの当接用の第２当接突条３０を縦設しており、それら筒壁の外周面下部と内筒２２ａの内面とに液体流路ＰＭを形成している。また図２に示すように、上記筒壁の下端から弁座３２を外方突出している。この弁座３２は、外向きフランジ状板部の外縁から環状のリム３４を起立しており、このリム内面に図１の如く上記筒状ピストンの内筒２２ａ下端部を嵌め込ませることで、吐出弁３６を形成している。故に後述のエアのクッション作用がないとすれば、弁座３２に内筒２２ａが食いつく可能性がある。また弁座３２の下方から脚筒３８を垂下し、この脚筒とシリンダ筒壁６の下部との間にスプリング４０を介装している。さらに脚筒及び弁座に連続してスカート状部４２を下外方へ突出してポンプシリンダ２の内面へ摺動可能に当接している。このスカート状部には連通孔４４を開口し、この連通孔から脚筒３８とシリンダ筒壁６との間を通って吐出弁３６へ至る液体通路ＰＵを開通している。
【００２９】
本発明では、ステム下半部２４ｂの筒壁の上端部を隔壁５２で閉塞して、これら筒壁と隔壁とでエア停留用筒５０を形成している。このエア停留用筒５０の内部は、ポンプ内の主要な液体の通り道から外れて淀み部Ｓを形成している。すなわち、ポンプシリンダの下部内の液体は、連通孔４４から、ステム下半部２４ｂと同上半部２４ａ乃至シリンダ筒壁６との間の液体通路ＰＵ、ＰＭ、ＰＬを通って、ノズル７２へ向かうこととなる。この流れに比べると、エア停留用筒５０の液体の動きは不活発であり、従ってエア停留用筒５０内に存する気泡をその場所に留めることが比較的容易である。
【００３０】
上記エア停留用筒の内周面には、図２に示す如く複数の縦リブ５６を縦設している。この図示例では、エア停留用筒の内周面のうち下部を除く部分に縦リブを形成しているが、内周面の垂直方向全長に亘って形成しても構わない。これら縦リブ５６は、相互に適当間隔を存して配置し、これにより、図３に示す如く隣接するリブの間に気泡Ｂを抱持する作用を有する気泡係留用凹凸面５４を形成するように設ける。
【００３１】
本発明の構成によれば次の作用を奏する。まず従来と共通する事柄を説明すると、図１の状態では押下げヘッド７０の押下げによりステム上半部２４ａ及び下半部２４ｂが下降する。初期状態では筒状ピストンの鍔部２２ｃとステム上半部２４ａの下端との間には隙間があるため、シリンダポンプ内の液圧の増大により筒状ピストンがステム下半部２４ｂに対して上昇し、吐出弁３６が開く。そしてシリンダポンプ２内の液体が、連通孔４４から、液体流路ＰＵ、吐出弁３６、液体通路ＰＭ、液体通路ＰＬを介して押下げヘッド７０内へ入り、ノズルから吐出される。
【００３２】
次に本発明の構成では、シリンダ室の上側にエア停留用筒５０を設けているので、初期使用のために容器側から吸込み弁８を介して液体をポンプシリンダ２内に吸引した状態で、エア停留用筒内の気泡係留用凹凸面５４に気泡が留まる。そして押下げヘッドを押し下げるときには、その気泡が収縮することでクッションの役目を果たし、エア停留用筒５０が下降し、筒状ピストンの内筒と弁座との食いつきを緩和する。これにより容易に押下げヘッド７０を押し下げることができる。
【００３３】
以下、本発明の他の実施形態を説明する。これらの説明において第１実施形態と同じ構成については同一の符号を付することで解説を省略する。
【００３４】
図４から図５は、本発明の第２の実施形態を示している。本実施形態では、ステム下半部２４ｂの縦リブ５６の長手方向の適所に一つ又は複数の気泡係留用下向き段部５８を形成している。この構成では、縦リブ５６相互の間だけではなく、気泡係留用下向き段部５８にも気泡が係留することが可能である。従って、第１の実施形態に比べてエア停留用筒内に係留可能なエアの量を多くすることができる。
【００３５】
図６は、本発明の第３の実施形態を示している。本実施形態では、ステム下半部２４ｂの筒壁の上下方向中間部やや下方寄りに隔壁５２を横設しており、この隔壁と隔壁下方の筒壁部分でエア停留用筒５０を形成している。このエア停留用筒の内周面には筒長全体に亘って縦リブ５６を縦設している。また隔壁の上方の筒壁部分には通液孔６０を穿設し、吐出弁３６から液体通路ＰＭを通過した液体が、通液孔６０を介してステム上半部２４ａ内に入ってもよく、またステム上半部とステム下半部との間の液体通路ＰＬに入ってもよいようにしている。これにより流体抵抗を低減することができ、押下げヘッドの押圧力を軽くすることができる。
【実施例】
【００３６】
図７は、本発明の第１の実施例である。この例では、図１の構成から単に縦リブを省略したものである。この実施例でも、図に想像線で示すように隔壁５２の裏面に気塊Ａ又は気泡を留めておくことができる。
【００３７】
図８及び図９は、本発明の第２の実施例である。この例では、第１の実施例の改良であり、隔壁５２の裏面に、中心部にボスを存して裏面に環状の気泡係留用凹条６２を形成したものである。これにより図９に示す如く気泡Ｂが隔壁５２の気泡係留用凹条６２内に係留され易い。
【００３８】
図１０及び図１１は、本発明の第３の実施例である。この例では、隔壁５２の中央部から周囲に複数個の縦溝６６を縦設した垂下棒６４を垂設し、この垂下棒の表面を気泡係留用凹凸面５４としている。
【符号の説明】
【００３９】
２…ポンプシリンダ ４…外向きフランジ ６…シリンダ筒壁 ８…吸上げ弁
１０…吸上げ管 １２…装着部材 １４…装着筒 １４ａ…嵌合筒
１４ｂ…内向きフランジ １６…抜止め筒
２０…作動部材 ２２…筒状ピストン ２２ａ…内筒 ２２ｂ…外筒
２２ｃ…鍔部 ２４…ステム ２４ａ…上半部 ２４ｂ…下半部
２６…内周面 ２８…第１当接突条 ２９…段部
３０…第２当接突条 ３２…弁座 ３４…リム ３６…吐出弁 ３８…脚筒
４０…スプリング ４２…スカート状部 ４４…連通孔
５０…エア停留用筒 ５２…隔壁 ５４…気泡係留用凹凸面 ５６…縦リブ
５８…気泡係留用下向き段部 ６０…通液孔 ６２…気泡係留用凹条
６４…垂下棒 ６６…縦溝
７０…押下げヘッド ７２…ノズル
Ｐ…ポンプ室 ＰＵ、ＰＭ、ＰＬ…液体通路 Ａ…気塊 Ｂ…気泡
Ｎ…口頸部 Ｓ…淀み部
【図１】
0005388200.tif 000002
【図２】
0005388200.tif 000003
【図３】
0005388200.tif 000004
【図４】
0005388200.tif 000005
【図５】
0005388200.tif 000006
【図６】
0005388200.tif 000007
【図７】
0005388200.tif 000008
【図８】
0005388200.tif 000009
【図９】
0005388200.tif 000010
【図１０】
0005388200.tif 000011
【図１１】
0005388200.tif 000012